(57)【要約】    【課題】  就寝者がより快適な姿勢を維持できさらに使い勝手を高めうるベッドの提供。    【解決手段】  寝具を載置する寝具載置面を有する寝具受け枠と、該寝具受け枠を支持するベッド枠体とを具えたベッドであって、前記寝具受け枠は、就寝者のももを受けかつ中央側の一端部が前記ベッド枠体の枠体支持点で枢支される第１の脚支持部と、一端部が該第１の脚支持部の外の他端部に折り曲げ可能に取り付けられ、かつ就寝者のふくらはぎを受ける第２の脚支持部とを含み、前記第２の脚支持部と、前記ベッド枠体とを、該第２の脚支持部の脚枢支点と、前記ベッド枠体の枠体枢支点とで両端が枢支され前記第１の脚支持部と略同長さのレバーにより接続して、前記レバー、前記第１の脚支持部、第２の脚支持部の一端部と前記脚枢支点との間、及びベッド枠体の前記枠体支持点と枠体枢支点との間により、平行クランク機構を形成するとともに、第１，第２の脚支持部が直線状となる展開状態とするとともに、第２の脚支持部が持ち上げられるリクライニング状態で保持しうる保持手段を設けたことを特徴とするベッド。【選択図】  図１
2005143982.tif 000002
【特許請求の範囲】
【請求項１】
寝具を載置する寝具載置面を有する寝具受け枠と、該寝具受け枠を支持するベッド枠体とを具えたベッドであって、
前記寝具受け枠は、就寝者のももを受けかつ中央側の一端部が前記ベッド枠体の枠体支持点で枢支される第１の脚支持部と、一端部が該第１の脚支持部の外の他端部に折り曲げ可能に取り付けられ、かつ就寝者のふくらはぎを受ける第２の脚支持部とを含み、
前記第２の脚支持部と、前記ベッド枠体とを、該第２の脚支持部の脚枢支点と、前記ベッド枠体の枠体枢支点とで両端が枢支され前記第１の脚支持部と略同長さのレバーにより接続して、前記レバー、前記第１の脚支持部、第２の脚支持部の一端部と前記脚枢支点との間、及びベッド枠体の前記枠体支持点と枠体枢支点との間により、平行クランク機構を形成するとともに、
第１，第２の脚支持部が直線状となる展開状態とするとともに、第２の脚支持部が持ち上げられるリクライニング状態で保持しうる保持手段を設けたことを特徴とするベッド。    
【請求項２】
前記保持手段は、一端部が前記ベッド枠体に枢支され、かつ他端部が前記寝具受け枠に枢支される直線運動器であることを特徴とする請求項１記載のベッド。
【請求項３】
前記保持手段は、前記ベッド枠体で一端部が取りつけられ他端部で前記寝具受け枠を持ち上げられかつ伸縮するとともに、伸縮状態で係止される係止手段を有するアーム状体を有することを特徴とする請求項１記載のベッド。
【請求項４】
前記保持手段は、前記ベッド枠体で一端部が取りつけられ他端部で前記寝具受け枠を持ち上げられ駆動手段により回動するレバー状の起倒手段を有することを特徴とする請求項１記載のベッド。
【請求項５】
前記ベッド枠体は、倒立Ｖ字状に折り曲げ可能な一対のベッド枠半体により構成され、前記第１の脚支持部と第２の脚支持部とがなす寝具受け枠は、一方のベッド枠半体で支持されることを特徴とする請求項１〜４のいずれかに記載のベッド。
【発明の詳細な説明】
【技術分野】
【０００１】
本発明は、快適な姿勢を維持できるとともに使い心地が優れるベッドに関する。
【背景技術】
【０００２】
近年の生活習慣では、ベッドの上で横になりながらテレビを見たり或いは本を読むこと等が頻繁に行われつつある。このようなベッドの使用形態に鑑み、例えば下記特許文献１では、図８に示すように、寝台部の下半身側に、第１の脚支持部ｂ１と、この第１の脚支持部ｂ１に折り曲げ可能に連結された第２の脚支持部ｂ２とを設けた折畳みベッドａが記載されている。そして、第１、第２の脚支持部ｂ１、ｂ２を山折り状に折り曲げることによって、膝、腰などの関節を含んだ下半身の姿勢を楽な状態に維持してリラックスさせ、かつ使用者の脚部を持ち上げて血行を促進させる試みがなされている。
【０００３】
【特許文献１】特開２０００−１２５９９１号公報
【発明の開示】
【発明が解決しようとする課題】
【０００４】
しかしながら、従来のベッドａでは、脚部をリラックスさせる際、第２の脚支持部ｂ２が膝から足首に向かって下降する傾斜となる。このため、足裏などを流れた血が心臓へと還流しずらく、十分な血行促進効果を得るためには、さらなる改善の余地があった。
【０００５】
本発明は、前記したベッドが有する問題点を解消し、平行クランク機構を形成した第２の脚支持部を持上げられるリクライニング状態で保持しうる保持手段を設けることを基本として、就寝者がより快適な姿勢を維持できさらに使い勝手を高めうるベッドの提供を課題としている。
【課題を解決するための手段】
【０００６】
前記目的を達成するために、請求項１記載の発明は、寝具を載置する寝具載置面を有する寝具受け枠と、該寝具受け枠を支持するベッド枠体とを具えたベッドであって、前記寝具受け枠は、就寝者のももを受けかつ中央側の一端部が前記ベッド枠体の枠体支持点で枢支される第１の脚支持部と、一端部が該第１の脚支持部の外の他端部に折り曲げ可能に取り付けられ、かつ就寝者のふくらはぎを受ける第２の脚支持部とを含み、前記第２の脚支持部と、前記ベッド枠体とを、該第２の脚支持部の脚枢支点と、前記ベッド枠体の枠体枢支点とで両端が枢支され前記第１の脚支持部と略同長さのレバーにより接続して、前記レバー、前記第１の脚支持部、第２の脚支持部の一端部と前記脚枢支点との間、及びベッド枠体の前記枠体支持点と枠体枢支点との間により、平行クランク機構を形成するとともに、第１，第２の脚支持部が直線状となる展開状態とするとともに、第２の脚支持部が持ち上げられるリクライニング状態で保持しうる保持手段を設けたことを特徴とする。
【０００７】
また請求項２記載の発明は、前記保持手段は、一端部が前記ベッド枠体に枢支され、かつ他端部が前記寝具受け枠に枢支される直線運動器であることを特徴とする請求項１記載のベッドである。
【０００８】
また請求項３記載の発明は、前記保持手段は、前記ベッド枠体で一端部が取りつけられ他端部で前記寝具受け枠を持ち上げられかつ伸縮するとともに、伸縮状態で係止される係止手段を有するアーム状体を有することを特徴とする請求項１記載のベッドである。
【０００９】
また請求項４記載の発明は、前記保持手段は、前記ベッド枠体で一端部が取りつけられ他端部で前記寝具受け枠を持ち上げられ駆動手段により回動するレバー状の起倒手段を有することを特徴とする請求項１記載のベッドである。
【００１０】
また請求項５記載の発明は、前記ベッド枠体は、倒立Ｖ字状に折り曲げ可能な一対のベッド枠半体により構成され、前記第１の脚支持部と第２の脚支持部とがなす寝具受け枠は、一方のベッド枠半体で支持されることを特徴とする請求項１〜４のいずれかに記載のベッドである。
【発明の効果】
【００１１】
本発明は叙上の如く構成しているため、就寝者が第１、第２の脚支持部に脚部を載せて使用するとき、就寝者の足側から頭部に向けて高さを段階的ではあるが徐々に下降させることができる。これにより、足裏などを流れた血が心臓へと還流しやすくなり、充分な血行促進効果を図ることができる。しかも第２の脚支持部は、レバー、第１の脚支持部、第２の脚支持部の一部、及びベッド枠体の一部により形成される平行クランク機構に支持されて持ち上げられるため、構造が簡単となるとともに第２の脚支持部をスムースに昇降することができる。
【００１２】
また請求項２記載の発明のように、保持手段が一端部が前記ベッド枠体に枢支され、かつ他端部が前記寝具受け枠に枢支される直線運動器であると、リクライニング状態に持ち上げられた寝具受け枠、寝具、および就寝者の脚などの荷重を安定して支持することができ、また請求項３記載の発明のように、保持手段が寝具受け枠を持ち上げられかつ伸縮するとともに伸縮状態で係止される係止手段を有するアーム状体である場合、持ち上げられた寝具受け枠などの荷重を、係止手段により確実に支持することができる。
【００１３】
また請求項４記載の発明のように、駆動手段により回動するレバー状の起倒手段を有する保持手段を用いると、寝具受け枠の昇降操作を自動で行なうことができるため操作性に優れる。
【００１４】
また請求項５記載の発明のように、ベッド枠体は、倒立Ｖ字状に折り曲げ可能な一対のベッド枠半体により構成され、前記第１の脚支持部と第２の脚支持部とがなす寝具受け枠は、一方のベッド枠半体で支持されるときには、折り畳みベッドに本発明を容易に適用することができる。
【発明を実施するための最良の形態】
【００１５】
以下、本発明の実施の一形態を、図示例とともに説明する。図１は本実施形態のベッド１の分解斜視図、図２はその平面図である。
【００１６】
本実施形態のベッド１は、倒立Ｖ字状に折り畳み可能なベッド枠体３と、該ベッド枠体３の上に配されかつ寝具を載置する寝具受け枠２とを具えるものが例示される。
【００１７】
前記ベッド枠体３は、第１のベッド枠半体１４と第２のベッド枠半体１５とを、折り曲げ可能に連結して構成している。
【００１８】
前記第１のベッド枠半体１４は、枠材を例えば平面視で略コ字状ないし矩形状（本例ではコ字状）に折り曲げた主枠１４ａと、縦横にのびる補強材１４ｂ、１４ｃとを一体に固着して形成される。第１のベッド枠半体１４は、実質的にベッド長さの略半分の長さ（例えば９００〜１０００mm）をもっている。第１のベッド枠半体１４は、ベッド長さ方向の中間部側に位置する内端部が、継ぎ材３３にピン等を用いて回動可能に枢着される。また第１のベッド枠半体１４の外端部側には、第１の脚部材３４, ３４が、ベッドの幅方向の両側に設けられる。
【００１９】
前記第１の脚部材３４, ３４は、本例では逆Ｔ字状をなす脚フレーム３４ａと、その下部に取り付けられたキャスター車輪３４ｂとで構成される。脚フレーム３４ａは、第１のベッド枠半体１４にピンにて回動可能に取り付けられる。また両側の第１の脚部材３４, ３４は、第１のベッド枠半体１４の下方でベッドの幅方向にのびる連結杆３５によって一体に固着される。また本形態では、第１のベッド枠半体１４の外端部に、化粧仕上げされかつ垂直に立ち上がる宮板３６が取り付けられたものを例示している。特に限定されないが、好適な使用例として、この第１のベッド枠半体１４側に使用者の上半身を載置させる。
【００２０】
前記第２のベッド枠半体１５は、第１のベッド枠半体１４と同様に枠材を略コ字状に折り曲げた主枠１５ａと、縦横にのびる補強材１５ｂ、１５ｃとを一体に固着して形成される。第２のベッド枠半体１５も、ベッド長さの約半分の長さをもっている。該第２のベッド枠半体１５は、ベッドの長さ方向の中間部に位置する内端部が、前記継ぎ材３３にピンにて回動可能に枢着される。本実施形態では、第１、第２のベッド枠半体１４、１５は、ベッドの長さ方向で離間したそれぞれ別の軸で支承されるが、同じ軸で支承することでも良い。
【００２１】
第２のベッド枠半体１５は、主枠１５ａの内側に配され、かつベッド長さ方向にのびる両側の補強材１５ｂに、第２の脚部材３８, ３８がピンにて回動可能に取り付けられる。これにより、折り畳み時、第１、第２の脚部材３４、３８が干渉するのを防止できる。該第２の脚部材３８は、その下端に接地する車輪３９が設けられ、前記第１脚部材３４とともに、折り畳み時に、第１、第２のヘッド枠半体１４、１５を円滑に移動させることができる。
【００２２】
ベッドの幅方向の両側に設けられた前記継ぎ材３３, ３３は、連結材４０の両端部に各々固着されることにより一体化し、しかもこの連結材４０には中間支脚部４１が固着される。中間支脚部４１は、水平状態で床面と接地する。これにより、第１、第２の脚部材３４、３８及び中間支脚部４１でベッド荷重を支持し、使用時の安定性を高める。
【００２３】
なお、本形態では、中間支脚部４１と第１の脚部材３４の間、及び、中間支脚部４１と第２の脚部材３８と間を連結ロッド４３で連結することにより、第１、第２のヘッド枠半体１４、１５と第１、第２の脚部材３４、３８と中間支脚部４１および連結ロッド４３とでそれぞれ平行クランク機構を形成している。これにより、中間支脚部４１、第１、第２の脚部材３４、３８の向きを一定、例えば垂直に保持しつつ折り畳みできる。
【００２４】
中間支脚部４１と第１のベッド枠半体１４との間、及び、中間支脚部４１と第２のベッド枠半体１５との間には、夫々折畳み労力を軽減するため、例えば引張バネ４２を架け渡すことができる。前記のように、継ぎ材３３の一端に前記第１のベッド枠半体１４を、かつ継ぎ材３３の他端に前記第２のベッド枠半体１５をそれぞれ枢支しているため、第１のベッド枠半体１４と第２のベッド枠半体１５とを互いに垂直位置となるよう折り曲げることによりベッド１をコンパクトに収納することができる。そしてその際、引張バネ４２は、前記折り畳み時の操作力を軽減し、展開時の衝撃の緩和する。なお引張バネ４２は、その架設位置を変えることができ、また電動機などを使用して、自動によりベッド１の折り畳み、展開動作を行わせることが可能である。
【００２５】
前記寝具受け枠２は、前記ベッド枠体３のベッドの長さ方向に配置された、就寝者の上半身を受ける上半身支持部１６と、ももを支持する第１の脚支持部４と、ふくらはぎを支持する第２の脚支持部４とからなる。前記寝具受け枠２の幅は、前記ベッド枠体３よりも広く、例えば８００〜１８００ｍｍ程度に形成される。
【００２６】
前記上半身支持部１６は、パイプ材等を矩形状に結合した枠体１６Ａと、この枠体１６Ａ内に架設されベッド１の長さ方向にのびる補強材１６Ｂと、枠体１６Ａが囲む空所に配され枠体１６Ａおよび補強材１６Ｂの上面に固着された下張り材１６Ｃとを含んで構成される。本形態の下張り材１６Ｃは、ベッド１の幅方向にのびる複数枚の帯状板体をベッド１の長さ方向に隔設して形成されたものが例示される。そして上半身支持部１６は、前記第１のベッド枠半体にボルトなどを用いて固着されている。
【００２７】
前記第１の脚支持部４は、本形態では、パイプ材等を横長矩形状に結合した枠体４Ａと、ベッド１の長さ方向にのびる補強材４Ｂと、枠体４Ａが囲む空所に配され枠体４Ａおよび補強材４Ｂの上面に固着された下張り材４Ｃとを含んで構成されたものを例示している。
【００２８】
また前記第２のベッド枠半体１５は、図２に示すように、その頭側端部にベッド１の幅方向にのびる縦断面円形の脚支持軸４４を回動可能に枢支している。本形態の脚支持軸４４は、その両端が第２のベッド枠半体１５の補強材１５ｃに固着されたＬ字状金物により枢支されたものが例示される。
【００２９】
前記第１の脚支持部４は、枠体４Ａを構成しかつ中央側の一端部に配された枠体部４Ａ１が前記脚支持軸４４に溶接などの手段で固着されている。これにより第１の脚支持部４は、その中央側の一端部が、第２のベッド枠半体１５の前記脚支持軸４４が形成する枠体支持点ｔ１において第２のベッド枠半体１５に枢支され、折り曲げ可能に取り付けられている。
【００３０】
前記第２の脚支持部５は、本形態では、パイプ材等を矩形状に結合した枠体５Ａと、ベッド１の長さ方向にのびる補強材５Ｂと、枠体５Ａが囲む空所に配され枠体５Ａおよび補強材５Ｂの上面に固着された下張り材５Ｃとを含んで構成されたものを例示している。そしてこの第２の脚支持部５は、その一端部（頭側の端部）が、前記第１の脚支持部４の外の他端部（足側の端部）に連結金具４５とピンにより、脚折曲点４６において折り曲げ可能に連結されている。
【００３１】
また第２の脚支持部５は、前記第２のベッド枠半体１５との間にレバー６が設けられている。このレバー６は前記第２の脚支持部５、第２のベッド枠半体１５のベッド幅方向の両側部に一対配され、その一端部が第２の脚支持部５に枢支されるとともに他端部が第２のベッド枠半体１５に枢支されることによりベッド長さ方向に沿う垂直面上で傾動可能に形成されている。
【００３２】
前記レバー６は、本形態では、図５に示すように、その一端部が第２の脚支持部５に設けた取付金具４７により、脚枢支点ｔ２において枢支されたものが例示される。前記取付金具４７は、図３に示すように、第２の脚支持部５の枠体５Ａと補強材５Ｂ間に架設された補助材５Ｄに固着され、下方に向く溝形状をなし、双方のフランジ間に架設された軸により前記レバー６を枢支している。
【００３３】
またレバー６は、図５に示すように、その他端部が前記第２のベッド枠半体１５に設けた支持金具４８に、枠体枢支点ｔ３において枢支されたものが例示される。前記支持金物４８は、第２のベッド枠半体１５の補強材１５ｂに固着され、該支持金物４８の側方に水平に突設した軸により前記レバー６の他端部を枢支している。
【００３４】
前記枠体枢支点ｔ３は、前記枠体支持点ｔ１との間隔Ｌ２が、前記脚折曲点４６と脚枢支点ｔ２との間隔Ｌ１と略等しくなる位置に形成され、かつ前記レバー６は、前記第１の脚支持部４のベッド長さ方向の長さと略同じ長さに形成されている。従って、前記レバー６、前記第１の脚支持部４、第２の脚支持部５の前記一端部（頭側の端部）と脚枢支点ｔ２との間の部分、及び第２のベッド枠半体１５の枠体支持点ｔ１と枠体枢支点ｔ３との間の部分とは、向き合う枢支点間の距離が略等しくなるため、平行クランク機構７を形成する。これにより、第１の脚支持部４とレバー６とは、互いに連動し、第２のベッド枠半体１５に対して同じ傾斜角度で傾き、第２の脚支持部５は、水平な姿勢を維持しながら昇降する。
【００３５】
なお前記レバー６の長さと第１の脚支持部４のベッド長さ方向の長さ、および前記間隔Ｌ１と前記間隔Ｌ２とは、各々略等しく形成されるものであり、±１０％程度長さが違う場合も含まれるものとする。従って本明細書の平行クランク機構７は、幾何学的に厳密な構成の機構を指すのではなく、向き合うリンクの長さに多少の相違があり、向き合うリンク間に±１５度程度の傾きを生じる場合も含むものとする。
【００３６】
このように構成されたベッド１では、第２の脚支持部５が水平を維持しながら上昇した時、図５に示すように、第１の脚支持部４は、その外の他端部（足側の端部）が第２の脚支持部５の一端部（頭側の端部）に連続するとともに中央側の一端部（頭側の端部）に向け下向きに傾斜したリクライニング状態Ｒを形成することができる。
【００３７】
また、第１の脚支持部４が枠体支持点ｔ１を中心にして略水平状態まで倒れた時、図４に示すように、第１の脚支持部４と第２の脚支持部５とは、前記第２のベッド枠半体１５の上に載置され、直線状に連続する展開状態Ｔを形成する。
【００３８】
前記平行クランク機構７のリクライニング状態Ｒを保持するために、保持手段８が設けられる。本形態の保持手段８は、図３に示すように、寝具受け枠２を持ち上げる起倒手段１３と、該起倒手段１３を駆動する駆動手段１２とを含み構成されたものが例示される。  
【００３９】
前記起倒手段１３は、本形態では、筒部４９ａと該筒部４９ａにスライド可能に挿入されたロッド４９ｂを含み構成された伸縮レバー４９からなるものが例示される。該伸縮レバー４９は、その基部が第２のベッド枠半体１５に固着された支持金物５０により、ベッド長さ方向に沿った垂直面上を回動可能に枢支されている。前記支持金物５０は、第２のベッド枠半体１５の平行な補強材１５ｂ, １５ｂ間に設けられたベッドの幅方向に沿う水平な補助材１５ｄに固着されている。
【００４０】
また伸縮レバー４９は、その先端がベッドの頭側に配され、前記ロッド４９ｂの先端部が、第２の脚支持部５に固着された取付金具５１に枢支されている。この取付金具５１は、基板５１ａに一対の取付片５１ｂ, ５１ｂを垂下して構成され、基板５１ａが第２の脚支持部５の補強材５Ｂに固着されている。そして、取付金具５１は、一対の取付片５１ｂ, ５１ｂ間に設けたピンによりロッド４９ｂの先端部を枢支している。
【００４１】
本形態の伸縮レバー４９は、ユニット化されて一体となった電動機からなる駆動手段１２に、周知のボールネジ機構（図示せず）を介して連結されたものが例示される。そして前記電動機が正転、逆転すると、前記ボールネジ機構によりその回転運動が直線運動に変換されるため、ロッド４９ｂが筒部４９ａから伸び縮み（出没）する。
【００４２】
図４に示すように、前記第１、第２の脚支持部４、５が展開状態Ｔにおいて、電動機の回転により前記伸縮レバー４９のロッド４９ｂが伸長すると、ロッド４９ｂの先端が枢着した第２の脚支持部５を頭側へ押す力が作用する。この力を受けた第２の脚支持部５が
頭側へ移動すると、前記平行クランク機構７のメカニズムに基づき、第１の脚支持部は枠体支持点ｔ１を中心として、またレバー６は枠体枢支点ｔ３を中心として、図面上で時計廻りの回転モーメントが発生する。その結果、図５に示すように、第２の脚支持部５は平行な状態を維持しながら上昇するとともに第１の脚支持部４は、その外の他端部（足側の端部）が第２の脚支持部５の一端部（頭側の端部）に連続するとともに中央側の一端部（頭側の端部）に向け下向きに傾斜したリクライニング状態Ｒを形成する。なおこれに連動して、前記伸縮レバー４９は、第２のベッド枠半体１５への枢支点を中心に、反時計廻りに回動する。
【００４３】
そして、駆動手段１２は、電動機の回転出力を減速し、ボールネジ機構などの直線運動変換機構を介して伸縮レバー４９と連結しているため、伸縮レバー４９側からの外力により電動機を回転することはできない。従って、駆動手段１２は、その停止時において、平行クランク機構７の運動をロックし、前記リクライニング状態Ｒを保持することができる。
【００４４】
そして就寝者は、前記リクライニング状態Ｒにおいて、図６に示すように、ふくらはぎが第２の脚支持部５に支持され、膝から下部が高くしかも水平に保たれ、一方ももは第１の脚支持部４が形成する臀部に向け下り勾配の傾斜面に支持される。そのため、足先を高くした楽な姿勢を維持できるとともに、足裏などを循環する血液の心臓に向い還流が促進されるため、血行が促進され健康、疲労回復に優れた効果が得られる。しかもリクライニング状態Ｒは、レバー、第１の脚支持部、第２の脚支持部の一部、及びベッド枠体の一部により構成された平行クランク機構により形成されるため、構造がシンプル化され、第２の脚支持部５をスムースに昇降できる。
【００４５】
また、図５に示すように、前記第１、第２の脚支持部４、５がクライニング状態Ｒにおいて、電動機が逆転することにより伸縮レバー４９のロッド４９ｂが短縮すると、ロッド４９ｂの先端が枢着した第２の脚支持部５を足側へ引き戻す力が作用する。この力を受けた第２の脚支持部５が足側へ移動すると、第１の脚支持部は枠体支持点ｔ１を中心として、またレバー６は枠体枢支点ｔ３を中心として、図面上で反時計廻りの回転モーメントが発生する。その結果第２の脚支持部５は平行な状態を維持しながら下降するとともに第１の脚支持部４は傾斜角度を漸減し、図４に示すように、第１、第２の脚支持部４、５は展開状態Ｔに戻る。またこれに連動して、前記伸縮レバー６は、第２のベッド枠半体１５への枢支点を中心に、時計廻りに回動する。なおこのとき、第１の脚支持部４、第２の脚支持部５、及び上半身支持部１６によりフラットな寝具載置面ｍが形成され、ベッド１は、睡眠時など標準的な状態として使用される。
【００４６】
またリクライニング状態Ｒにおける第２の脚支持部５の高さは、伸縮レバー４９のロッド４９ｂのストロークを調節することに適宜好みの高さに調節しうる。この調節は、図示しないリモートコントローラを用いて就寝者により自由に行われる。特に限定はされないが、第２の脚支持部５の最大の上昇量ｈは、例えば８０〜２００mm、より好ましくは１００〜１５０mm程度とするのが特に好ましい。これにより、標準的な成人において、よりくつろげるリクライニング状態Ｒが形成できる。
【００４７】
なお前記伸縮レバー４９は、ロッド４９ｂが筒部４９ａから伸縮することにより軸方向の長さが増減する直線運動器９を構成している。このように本形態のベッド１は、第１、第２の脚支持部４、５のクライニング状態Ｒが直線運動器９により保持されるため、上昇した寝具受け枠、寝具、および就寝者の脚などの荷重を安定して支持することができる。
【００４８】
なお本形態では、寝具受け枠２において、前記各部の下張り材４Ｃ、５Ｃ、及び１６Ｃを含む平面が寝具載置面ｍをなす。この寝具載置面ｍの上にマットレス等を単に載置しても良いが、好ましくは、図６に部分的に示すように、それぞれの下張り材（この例では５Ｃ）の上にスポンジ、チップウレタンフォーム、その他のクッション材からなる寝具Ｂを固着し、さらに枠体５Ａとともにこれらシーツ状の被覆カバーＣで被覆して寝具Ｂと一体に構成することが好ましい。
【００４９】
図７は、本発明の前記と異なる実施形態を例示している。以下前記形態と異なる内容のみを説明し、他の内容は図中に表れれた同等の構成に同じ符号を付すのみで、説明は省略している。
【００５０】
本形態の保持手段８は、係止手段１０を具えたアーム状体１１を含み構成されている。そしてこのアーム状体１１は、一端が解放された筒状の鞘部１１ａと、該鞘部１１ａから出入り可能なロッド部１１ｂとで構成される。鞘部１１ａは、その端部が第２のベッド枠半体１５に枢支され、長手方向にのびる主溝５２ａと、該主溝５２ａから斜めに隔設されたラチェット溝５２ｂとを含む係合溝５２が設けられる。またロッド部１１ｂは、の先端部が第２の脚支持部５に枢支され、前記係合溝５２に嵌り合いロックないしスライドが可能なガイド片５３が設けられている。
【００５１】
前記ガイド片５３は、ロッド部１１ｂが鞘部１１ａからのびる向きの移動に際しては、ラチェット溝５２ｂと主溝５２ａとを抵抗を生じることなく順次移動できる。しながらロッド部１１ｂを縮める向きの移動に際しては、ラチェット溝５２ｂに噛み合って係止し、その位置がロックされる。図において三点鎖線で示すように、ロッド部１１ｂを鞘部１１ａから最も伸長させると、ガイド片５３は主溝５２ａ側に拘束され、これにより、ロッド部４４ｂを縮めることができる。なお、鞘部１１ａの係合溝５２と、ロッド部１１ｂのガイド片５３とで係止手段１０を形成している。
【００５２】
また第１の脚支持部４又は第２の脚支持部５の少なくとも一方には、ユーザが可動部を上に持ち上げる際に使用する持ち手部５４が固着される。該持ち手部５４は、可動部に固着された例えば紐、金属又は樹脂からなる持ち手本体５４ａと、その外周部を覆う例えばスポンジ等の軟質材からなるカバー部５４ｂとで構成される。これにより、ユーザの手への負担を軽減するのに役立つ。
【００５３】
この実施形態では、ユーザが持ち手部５４を把持し本例では第１の脚支持部４を持ち上げて好みの高さで手を離す。これにより、アーム状体１１のロッド部１１ｂが鞘部１１ａから突出するとともに、任意のラチェット溝５２ｂにロッド部１１ｂのガイド片５３が噛み合う。これにより、仮想線で示すように、リクライニング状態Ｒに変形できる。展開状態Ｔに戻す際には、第１の脚支持部４をさらに引き上げ、アーム状体１１のロッド４０ｂを最大に伸ばした後静かに第１の脚支持部４を下降させればよい。
【００５４】
なお前記実施形態のベッド１は、折畳み式であるが、非折り畳み式のベッドとしても良い。また本発明は上記の実施形態に限定されることなく種々の形態で実施しうる。
【図面の簡単な説明】
【００５５】
【図１】本実施形態のベッドの分解斜視図である。
【図２】その平面図である。
【図３】その要部拡大斜視図である。
【図４】展開状態における第１の脚支持部と第２の脚支持部との連結部を示す部分側面図である。
【図５】リクライニング状態における第１の脚支持部と第２の脚支持部との連結部を示す部分側面図である。
【図６】本実施形態のベッドの使用状態を例示する側面図である。
【図７】他の実施形態の第１の脚支持部と第２の脚支持部との連結部を示す部分側面図である。
【図８】従来のベッドの側面図である。
【符号の説明】
【００５６】
１      ベッド
２      寝具受け枠
３      ベッド枠体
４      脚支持部
５      脚支持部
６      レバー
７      平行クランク機構
８      保持手段
９      直線運動器
１０      係止手段
１１      アーム状体
１２      駆動手段
１３      起倒手段
１４      第１のベッド枠半体
１５      第２のベッド枠半体
Ｓ      寝具
ｍ      寝具載置面
Ｔ      展開状態
Ｒ      リクライニング状態
ｔ１      枠体支持点
ｔ２      脚枢支点
ｔ３      枠体枢支点
【図１】
2005143982.tif 000003
【図２】
2005143982.tif 000004
【図３】
2005143982.tif 000005
【図４】
2005143982.tif 000006
【図５】
2005143982.tif 000007
【図６】
2005143982.tif 000008
【図７】
2005143982.tif 000009
【図８】
2005143982.tif 000010